(57)【要約】【課題】寝具を清潔に保つ。【解決手段】シーツとしての布状部材は、敷布団やマットレス等の寝具を覆った状態で使用され、ユーザに接触するユーザ面１１と、寝具を覆う被覆面１２とを有する。布状部材の中央部１０は、本体部１３と、防水部１８とを備える。本体部１３は、ユーザ面１１を含む接触層１４と、シリカゲルを含む調湿層１６と、クッション性を有するクッション層１５、１７とを有し、ユーザ面１１に縫い目１１ａが生じた状態でキルティングがなされている。また、防水部１８は、被覆面１２を含み、防水性を有し、布状であり、キルティングにより生じた縫い目１１ａを覆った状態で、本体部１３の接触層１４の反対側に位置する。【選択図】図２
2019017485.tif 000002
【特許請求の範囲】
【請求項１】
寝具を覆った状態で使用される部材であって、ユーザに接触するユーザ面と、前記寝具を覆う被覆面とを有する部材である布状部材であって、
前記ユーザ面を含む接触層と、シリカゲルを含む調湿層と、クッション性を有するクッション層とを有し、前記ユーザ面に縫い目が生じた状態でキルティングがなされている本体部と、
前記被覆面を含み、防水性を有し、布状であり、前記キルティングにより生じた縫い目を覆った状態で、前記本体部の前記接触層の反対側に位置する防水部と、
を備える布状部材。
【請求項２】
請求項１に記載された布状部材において、
前記接触層は、前記ユーザに冷感を与えるよう構成されている
布状部材。
【請求項３】
請求項１に記載された布状部材において、
前記接触層は、前記ユーザに温感を与えるよう構成されている
布状部材。
【発明の詳細な説明】
【技術分野】
【０００１】
本開示は、寝具を覆った状態で使用される布状部材に関する。
【背景技術】
【０００２】
シリカゲル等の吸湿脱臭剤を２枚のシート材の間に配置し、これらを接合させることで得られたシートを、老人用シーツとして用いることが知られている（例えば、特許文献１）。
【先行技術文献】
【特許文献】
【０００３】
【特許文献１】実開平５−９５６２９号公報
【発明の概要】
【発明が解決しようとする課題】
【０００４】
特許文献１のシートをシーツとして用いることで、除湿効果や脱臭効果が得られる。しかし、シートに吸収された水分が、シートにより覆われた布団やマットレス等に移り、その結果、布団やマットレス等にてカビや細菌が繁殖する恐れがあった。
【０００５】
本開示は上記課題に鑑みてなされたものであり、寝具を清潔に保つことを目的とする。
【課題を解決するための手段】
【０００６】
本開示に係る布状部材は、寝具を覆った状態で使用され、ユーザに接触するユーザ面と、寝具を覆う被覆面とを有する。布状部材は、本体部と、防水部とを備える。本体部は、ユーザ面を含む接触層と、シリカゲルを含む調湿層と、クッション性を有するクッション層とを有し、ユーザ面に縫い目が生じた状態でキルティングがなされている。また、防水部は、被覆面を含み、防水性を有し、布状であり、キルティングにより生じた縫い目を覆った状態で、本体部の接触層の反対側に位置する。
【０００７】
このような構成によれば、調湿層のシリカゲルにより脱臭効果が得られる。また、調湿層のシリカゲルにより除湿効果が生じ、布状部材の周辺の水分が吸収される。
また、この布状部材における寝具を覆う被覆面は、防水性を有する防水部により構成されている。このため、本体部に吸収された水分が、防水部を通過して、布状部材により覆われた寝具に移るのを抑制できる。特に、防水部は、キルティングにより生じた縫い目を覆った状態で、本体部の接触層の反対側に位置する。このため、防水部には、本体部のキルティングにより生じる縫い目が存在せず、防水部からの水分の放出が抑制される。その結果、調湿層に吸収された水分が寝具に移るのを、効果的に抑制できる。
【０００８】
したがって、布状部材に覆われた寝具に対する防水効果が得られ、寝具でのカビやダニや細菌等の繁殖を効果的に抑制でき、寝具を清潔に保つことが可能となる。
なお、接触層は、ユーザに冷感を与えるよう構成されていても良い。
【０００９】
このような構成によれば、布状部材を使用するユーザに冷感を与え、暑さを和らげることができる。そして、接触層がユーザに与える冷感とシリカゲルによる除湿効果とが相俟って、高温多湿である場合の快適性をより一層高めることができる。
【００１０】
また、接触層は、ユーザに温感を与えるよう構成されていても良い。
このような構成によれば、ユーザは、布状部材の使用時に温かみを感じることができ、涼しい時や寒い時でも快適に布状部材を使用することができる。
【図面の簡単な説明】
【００１１】
【図１】図１Ａ及び１Ｂは、それぞれ、本実施形態の布状部材であるシーツの表面図及び裏面図である。
【図２】図２Ａ及び２Ｂは、それぞれ、本実施形態の布状部材である枕カバーの表面図及び裏面図である。また、図２Ｃは、シーツの厚さ方向の構成を示す断面図である。
【発明を実施するための形態】
【００１２】
以下、本開示の実施形態について図面を用いて説明する。なお、本開示の実施の形態は、下記の実施形態に何ら限定されることはなく、本開示の技術的範囲に属する限り種々の形態を採りうる。
【００１３】
［構成について］
本実施形態の布状部材は、例えば、布団、マットレス、又は、枕等といった寝具を覆った状態で使用される。より詳しくは、図１Ａ、１Ｂに示すように、布状部材は、例えば、布団又はマットレス等を覆う略矩形のシーツ１として構成されていても良い。また、図２Ａ、２Ｂに示すように、布状部材は、例えば、略矩形の枕カバー２として構成されていても良い。なお、布状部材の一方の面は、ユーザに接触するユーザ面として用いられ、他方の面は、寝具を覆う被覆面として用いられる。
【００１４】
図１Ａ、１Ｂに示すように、シーツ１としての布状部材は、マットレスや敷布団等に着脱可能に構成されており、被覆面１２がマットレス等の上面を覆った状態でマットレス等に取り付けられる。シーツ１は、中央部１０と、中央部１０の外縁に設けられた縁部２０とを有する。
【００１５】
また、シーツ１の被覆面１２の四隅には、それぞれ、弾性を有する帯状の紐状部材３０が設けられている。紐状部材３０は、帯状のゴム紐として構成されていても良い。紐状部材３０は、その両端が、それぞれ、当該紐状部材３０に最も近接する隅で交差するシーツ１の２つの縁部に接合されている。シーツ１は、紐状部材３０によりマットレス等に取り付けられる。
【００１６】
一方、図２Ａ、２Ｂに示すように、枕カバー２としての布状部材は、枕に着脱可能に構成されており、被覆面５２が枕の上面を覆った状態で枕に取り付けられる。枕カバー２は、中央部５０と、中央部５０の外縁に設けられた縁部６０とを有する。
【００１７】
また、枕カバー２の被覆面５２には、シーツ１と同様の紐状部材７０が２本設けられている。紐状部材７０は、一端が枕カバー２の一方の長辺をなす縁部に、他端が他方の長辺をなす縁部に接合されている。それぞれの紐状部材７０は、枕カバー２の短辺をなす縁部に平行に配置されている。枕カバー２は、紐状部材７０により枕に取り付けられる。
【００１８】
次に、シーツ１の中央部１０の構成について説明する。なお、枕カバー２の中央部５０も、シーツ１の中央部１０と同様の構成を有している。このため、枕カバー２の中央部５０の説明は省略する。
【００１９】
図２Ｃに示すように、中央部１０は、多層構造となっており、本体部１３と、防水部１８とを重ね合わせた構成となっている。これらの部位は、ユーザ面１１及び被覆面１２に沿ってシーツ１全体に広がっている。
【００２０】
また、本体部１３は、キルティングがなされている。このため、本体部１３のユーザ面１１は、キルティングにより生じた縫い目１１ａを有し、また、該縫い目１１ａは、本体部１３を貫通する。なお、枕カバー２のユーザ面５１においても、同様の縫い目５１ａが設けられる。
【００２１】
そして、本体部１３は、接触層１４と、調湿層１６と、クッション層１５、１７とを有する多層構造となっている。各層もまた、ユーザ面１１及び被覆面１２に沿ってシーツ１全体に広がっている。
【００２２】
接触層１４は、本体部１３の端部に位置し、ユーザ面１１を含んでいる。より詳しくは、接触層１４の一方の面は、ユーザ面１１をなしている。なお、接触層１４は、例えば、ユーザ面１１に当接するユーザに冷感を与えるよう構成されていても良い。具体的には、接触層１４は、例えば、接触冷感生地により構成されていても良い。接触冷感生地は、例えば、熱伝導率や熱拡散率が高い素材を用いることや、水分を素早く吸収、拡散して気化熱を奪うよう構成することで、冷感を与えるようになっていても良い。また、接触冷感生地は、例えば、レーヨンやナイロン等から構成されていても良い。
【００２３】
また、接触層１４は、例えば、ユーザ面１１に当接するユーザに温感を与える生地により構成されていても良い。このような生地は、例えば、綿やポリエステル等により構成されていても良いし、ブランケット等として構成されていても良いし、保温効果や保湿効果や発熱効果を得るための加工がなされたものであっても良い。
【００２４】
この他にも、接触層１４は、例えば、吸水性が高く、速乾性を有する生地により構成されていても良い。
また、クッション層１５、１７は、クッション性を有し、調湿層１６を間に挟んだ状態で配置される２つの層である。クッション層１５、１７は、例えば、ポリエステル綿等のクッション材を含んでいても良い。
【００２５】
また、調湿層１６は、シリカゲル１６ａの粒子を多数含んでいる。なお、シリカゲル１６ａは、一例としてＢ型シリカゲルであっても良い。また、これらのシリカゲル１６ａの粒子は、シーツ１全体に広がるように配置されている。
【００２６】
調湿層１６は、例えば、粒状のシリカゲル１６ａと樹脂等により構成されるバインド材との混合物を加熱することで生成されても良い。より詳しくは、調湿層１６は、複数のクッション材（例えば、フェルト）と、これらの間に配された該混合物を融着した物質とを含んでいても良い。なお、複数のクッション材とは、例えば、耐熱性を有する部材（例えば、ウレタン）であっても良い。また、例えば、クッション層１５、１７の間に、該混合物を融着した物質を配置する構成としても良い。
【００２７】
また、調湿層１６は、例えば、ニードルパンチ加工により生成されても良い。具体的には、間に粒状のシリカゲルが配置された複数の支持部材に対しニードルパンチ加工を行い、これらの支持部材及び粒状のシリカゲルを一体化したものを、調湿層１６として用いても良い。なお、支持部材とは、例えば、不織布であっても良いし、フェルトであっても良い。また、例えば、粒状のシリカゲル１６ａ及びクッション層１５、１７が、ニードルパンチ加工により一体的に生成されても良い。
【００２８】
なお、本体部１３のキルティングにより、本体部１３に含まれる全ての層を貫通する縫い目１１ａが設けられる。
一方、防水部１８は、被覆面１２を含む薄い布状（換言すれば、シート状）の部位であり、防水性を有する。具体的には、防水部１８は、例えば、ポリウレタン、又は、塩化ビニール等から構成されていても良い。
【００２９】
防水部１８は、本体部１３の接触層１４の反対側に位置し、防水部１８の一方の面は、被覆面１２をなしている。本実施形態では、一例として、防水部１８は、本体部１３（より詳しくは、クッション層１７）に隣接した状態で配置される。また、防水部１８は、キルティングにより本体部１３に生じた縫い目１１ａを覆った状態で、本体部１３に取り付けられている。より詳しくは、本体部１３のキルティングがなされた後に、防水部１８は本体部１３に取り付けられる。このため、防水部１８に対しては該キルティングが行われず、防水部１８には、該キルティングにより生じる縫い目が存在しない。また、防水部１８は、例えば、接着剤、融着、又は、熱圧着等により本体部１３に取り付けられても良い。
【００３０】
［効果］
上記実施形態によれば、調湿層１６のシリカゲル１６ａにより脱臭効果が得られる。また、調湿層１６のシリカゲル１６ａにより除湿効果が生じ、布状部材の周辺の水分が吸収される。
【００３１】
また、この布状部材における寝具を覆う被覆面は、防水性を有する防水部１８により構成されている。このため、本体部１３に吸収された水分が、防水部１８を通過して、布状部材により覆われた寝具に移るのを抑制できる。特に、防水部１８は、キルティングにより生じた縫い目１１ａを覆った状態で、本体部１３に取り付けられている。このため、防水部１８には、本体部１３のキルティングにより生じる縫い目が存在せず、防水部１８からの水分の放出が抑制される。その結果、調湿層１６に吸収された水分が寝具に移るのを、効果的に抑制できる。
【００３２】
したがって、布状部材に覆われた寝具に対する防水効果が得られ、寝具でのカビやダニや細菌等の微生物の繁殖を効果的に抑制でき、寝具を清潔に保つことが可能となる。
また、従来は、敷布団やマットレス等の寝具を天日で干したり、掃除機をかけたり、乾燥機を使用したりしないと、寝具における微生物の繁殖を抑制できなかった。しかしながら、上記実施形態の布状部材を用いることで、寝具における微生物の繁殖を抑制でき、その結果、寝具を干したりする手間を省くことが可能となる。
【００３３】
［他の実施形態］
（１）上記実施形態の布状部材では、本体部１３には、調湿層１６を挟む２つのクッション層１５、１７が設けられている。しかし、本体部１３には、１つのクッション層が設けられていても良い。また、この１つのクッション層は、例えば、調湿層１６と防水部１８との間に設けられていても良いし、調湿層１６と接触層１４との間に設けられていても良い。また、本体部１３には、接触層１４、クッション層１５、１７、及び、調湿層１６が設けられている。しかしながら、本体部１３には、これらの層に加えて、さらに別の層が設けられていても良い。
【００３４】
（２）上記実施形態では、防水部１８は、本体部１３に隣接して配置される。しかしながら、これに限らず、例えば、防水部１８と本体部１３との間に、層状の部材が配置されていても良い。
【００３５】
（３）上記実施形態では、布状部材の具体例として、シーツ１と枕カバー２とを例示した。しかしながら、布状部材は、シーツ１及び枕カバー２以外の寝具を覆う部材として構成されていても良い。
【符号の説明】
【００３６】
１…シーツ、２…枕カバー、１０…中央部、１１…ユーザ面、１１ａ…縫い目、１２…被覆面、１３…本体部、１４…接触層、１５…クッション層、１６…調湿層、１６ａ…シリカゲル、１６…クッション層、１８…防水部、５０…中央部、５１…ユーザ面、５１ａ…縫い目。
【図１】
2019017485.tif 000003
【図２】
2019017485.tif 000004